(57)【要約】【課題】リール装着部を手で把持して操作する場合に、軽快な操作感を出すことができると共に、リールを強固に装着できる釣竿を提供する。【解決手段】繊維強化合成樹脂製竿杆１０の長手方向適宜位置の外側にリール装着本体部１２Ｈが設けられ、該リール装着本体部の外周にリール脚載置部を有し、該リール脚載置部の前後に固定フードＦ１と移動フードＦ２とを対向配設したリール装着部１２を具備した釣竿であって、前記リール装着本体部の長さ方向の一部分は、使用標準サイズのリールＲを装着した場合の両フード間のリール脚載置部長さＬＳの半分以上の長さＬＡに亘った柔軟性部材による管状の柔軟性本体部１２ＨＡによって構成しており、各フード内部におけるリール脚載置部Ｆ１Ｓ，Ｆ２Ｓは前記柔軟性本体部よりも硬い硬質部であり、リールを装着する前では、前記柔軟性本体部の表面は前記硬質部の表面よりも高い位置にあるよう構成する。【選択図】図１
2007195488.tif 000002
【特許請求の範囲】
【請求項１】
繊維強化合成樹脂製竿杆の長手方向適宜位置の外側にリール装着本体部が設けられ、該リール装着本体部の外周にリール脚載置部を有し、該リール脚載置部の前後に固定フードと移動フードとを対向配設したリール装着部を具備した釣竿であって、
前記リール装着本体部の長さ方向の一部分は、使用標準サイズのリールを装着した場合の両フード間のリール脚載置部長さの半分以上の長さに亘った柔軟性部材による管状の柔軟性本体部によって構成しており、
各フード内部におけるリール脚載置部は前記柔軟性本体部よりも硬い硬質部であり、
リールを装着する前では、前記柔軟性本体部の表面は前記硬質部の表面よりも高い位置にある
ことを特徴とする釣竿。
【請求項２】
前記柔軟性本体部領域以外の前記リール装着本体部の領域は、内部に硬質の発泡材で形成した管状スペーサを有しており、更には、後側のフード領域の内部にも硬質発泡材で形成した管状スペーサを有している請求項１記載の釣竿。
【発明の詳細な説明】
【技術分野】
【０００１】
本発明は、リール装着部に特徴のある釣竿に関する。
【背景技術】
【０００２】
従来、リール装着部を有する真鯛竿等の船竿は、例えば３．６ｍほどの長さを有しており、船縁に釣竿保持装置を装着しておき、これに保持させて当たりを待ち、その装置に保持させたまま巻き上げるか、或いは、時に外してポンピング操作を行っていた。これに対して、竿を短く、軽くし、手で持って当たりを待ったり各種釣竿操作を行いたいという釣人要望に対しては、従来の釣竿では操作性に劣る。下記特許文献１には、リール装着部を有する釣竿の例が開示されている。
【特許文献１】特開２００１−８６９０５号公報
【発明の開示】
【発明が解決しようとする課題】
【０００３】
手でリール装着部を把持して、主として片手で操作するタイプの船竿では、リール装着部領域が撓み難くて硬い感じでは操作の軽快さを出すことができない。なお、リール装着部を柔らかくすれば、装着されたリールが緩み易くなるという問題がある。上記文献１では、スピニングリールではあるが、そのリールのガタ止めに弾力性のある緩衝材を用いている。
依って解決しようとする課題は、リール装着部を手で把持して操作する場合に、軽快な操作感を出すことができると共に、リールを強固に装着できる釣竿の提供である。
【課題を解決するための手段】
【０００４】
第１の発明では、繊維強化合成樹脂製竿杆の長手方向適宜位置の外側にリール装着本体部が設けられ、該リール装着本体部の外周にリール脚載置部を有し、該リール脚載置部の前後に固定フードと移動フードとを対向配設したリール装着部を具備した釣竿であって、前記リール装着本体部の長さ方向の一部分は、使用標準サイズのリールを装着した場合の両フード間のリール脚載置部長さの半分以上の長さに亘った柔軟性部材による管状の柔軟性本体部によって構成しており、各フード内部におけるリール脚載置部は前記柔軟性本体部よりも硬い硬質部であり、リールを装着する前では、前記柔軟性本体部の表面は前記硬質部の表面よりも高い位置にあることを特徴とする釣竿を提供する。
【０００５】
第２の発明では、前記柔軟性本体部領域以外の前記リール装着本体部の領域は、内部に硬質の発泡材で形成した管状スペーサを有しており、更には、後側のフード領域の内部にも硬質発泡材で形成した管状スペーサを有している第１の発明記載の釣竿を提供する。
【発明の効果】
【０００６】
第１の発明では、竿杆の外側に設けられたリール装着本体部の長さ方向一部分が、両フード間の半分以上の長さに亘って管状柔軟性本体部で構成されているため、リール装着部の撓み剛性を小さくでき、撓み易くなる。これによって、リール装着部を把持した各種釣り操作が軽快に行える。従って、釣竿を釣竿保持装置に保持させて操作するのではなく、手で持って（主として片手で）操作するような短い釣竿の場合に適する。例えば２．５ｍ程度以下の長さである。
しかし、このようにリール装着部が撓み易くてこのリール装着部を把持して各種釣竿操作を行うと、装着したリールの脚が緩み易い。そこで、リール脚の先端部が載置される各フードのリール脚載置部は硬質部としており、これで載置状態が一定となるが、その間には柔軟性部材の柔軟性本体部を有しており、この柔軟性本体部の表面を各フードのリール脚載置部（硬質部）の表面よりも高く構成しているため、リール脚を載置して緊締すると、該リール脚が裏面側から柔軟性本体部によって押圧され、結果的にリールを強固に固定できる。
【０００７】
硬質の発泡材は、保形性を有し、軽量であり、更には撓み剛性が小さいため、第２の発明では、リール装着部の全体領域の撓み剛性を小さく構成できる。従って、獲物等の撓み荷重が、釣竿先部から後方部に至るまで順次滑らかに移動できる構造となるため、釣竿の操作性が向上する
【発明を実施するための最良の形態】
【０００８】
以下、本発明につき図面を用いて詳細に説明する。図１は本発明に係る釣竿の例として、主として真鯛を対象魚として狙った真鯛竿（船竿の一種）の要部の部分断面図である。エポキシ樹脂等の合成樹脂をマトリックスとし、炭素繊維等の強化繊維で強化した繊維強化合成樹脂製竿管１０が後部グリップＧ１の中にまで至っており、該後部グリップの直前領域がリール（ここでは両軸受型リール）Ｒの脚ＲＬを装着固定するリール装着部１２であり、その直前領域には前部グリップＧ２が配設されている。前後のグリップはコルクやエチレン酢酸ビニル共重合体（ＥＶＡ）等で形成されている。
【０００９】
リール装着部領域の後部（後部グリップＧ１の直前部）には固定フードＦ１が固定されている。該固定フードの直前領域にはリール装着本体部１２Ｈの後側本体部としての管状の柔軟性本体部１２ＨＡが配設され、その直前領域にはリール装着本体部１２Ｈの前側本体部として、内側の硬質発泡材によるスペーサ１２ＨＢ’と外側の硬質な管状部１２ＨＢとが配設されている。この管状部の外側には、前記固定フードＦ１と対向するように移動フードＦ２が前後動可能に設けられ、その直前に配設されて移動フードの前端部に係止されたナット部材ＮＴの回動操作によって該移動フードが前後動する。この両フードの開口にリール脚ＲＬの先端部を挿入してリールＲを固定する。
【００１０】
固定フードＦ１は、その芯部に相当する固定フード本体部Ｆ１Ａとこの外側表面を円周方向全体に亘って覆う柔軟性部材による被覆部材Ｆ１Ｂとを有している。また、この管状の固定フードと竿管１０との間には適宜な硬質発泡材等の保形性部材からなるスペーサＦ１Ｃが配設されている。固定フード本体部Ｆ１Ａの形成材料としては、ステンレス、アルミ合金、チタン、真鍮等の金属や、硬質樹脂、繊維強化合成樹脂等がある。硬質樹脂としては、ＡＢＳ樹脂、ポリアミド、ポリスチロール、ポリプロピレン、ポリカーボネート等がある。また、硬質発泡材としては、ポリウレタンフォーム樹脂、スチロール樹脂、ポリエチレン樹脂、フェノール樹脂を発泡硬化させたもの等がある。
【００１１】
被覆部材Ｆ１Ｂ用の柔軟性部材としては、塩化ビニールエラストマー、ウレタンエラストマー、オレフィン系エラストマー、スチレン系エラストマー、ゴム、エチレン酢酸ビニル共重合体（ＥＶＡ）等がある。固定フード本体部よりも柔軟性のある材料である。これらの材料を、固定フード本体部表面に対して射出して一体化成形する。従って、接合が強く、剥離し難い。被覆部材を別体に形成し、これを固定フード本体部に被せて接着固定することにより一体化させることもできる。
【００１２】
柔軟性本体部１２ＨＡの柔軟性部材としては、前述の被覆部材Ｆ１Ｂ用の各種柔軟性部材の他、コルクがある。スペーサ１２ＨＢ’とスペーサＦ１Ｃ用に硬質発泡材を使用しているのは、保形性と軽量化と更には撓み剛性を低くさせるためである。外側の硬質な管状部１２ＨＢの材料としては、固定フード本体部Ｆ１Ａの各種構成材料が使用できる。硬質な管状部とは、柔軟性本体部１２ＨＡに対比した表現であり、リール脚ＲＬによって押圧された場合に、径方向に実質的に圧縮されない硬さを有する意味である。
【００１３】
柔軟性本体部１２ＨＡの外側表面は、管状部１２ＨＢの外側表面に対して径方向に高く形成されている。また、移動フードＦ２の開口内部におけるリール脚載置部Ｆ２Ｓは、前記管状部１２ＨＢの外側表面であり、硬質部である。更には、固定フードＦ１の開口内部におけるリール脚載置部Ｆ１Ｓは、前記固定フード本体の開口底面であり、硬質部である。柔軟性本体部１２ＨＡの外側表面は、これらフードのリール脚載置部Ｆ１Ｓ，Ｆ２Ｓを直線的に結んだライン（面）よりも径方向に高い位置にある。従って、柔軟性本体部１２ＨＡは、リールＲを装着固定した場合に、リール脚ＲＬの裏面によって押圧されて圧縮される。
【００１４】
リールの脚はこの反作用によって押圧されて、リールの強固な固定が可能となる。また、柔軟性本体部１２ＨＡは、リールＲがこの釣竿に対する標準的なサイズであれば、両フード間に現れているリール装着本体部１２Ｈの長さＬＳ、即ち、フード開口部内を除いたリール脚載置部の長さＬＳの半分以上の長さＬＡを有している。従って、リール脚長さの略半分以上に亘って押圧するので、強固に固定される。使用予定のリール脚サイズが１種類であったり、複数種類であっても、その最小サイズのリールを装着した場合に、図１の長さＬＡが長さＬＳと殆ど一致するように設計すると好ましい。また、移動フードＦ２の開口内面を、フードの本体部と異なる部材で覆っている場合があるが、こうした場合は、リールの脚ＲＬの先部は、直接に管状部１２ＨＢの外側表面に載置されるのではなく、こうした部材を介して載置される。固定フードＦ１についても、固定フード本体部Ｆ１Ａと異なる部材で開口部を覆っている場合は、前記リール脚載置部Ｆ１Ｓは、こうした部材の底面である。
【００１５】
また、前記固定フードＦ１の被覆部材Ｆ１Ｂと柔軟性本体部１２ＨＡとを併せた領域は、両軸リールＲを把持するパーミング時に、掌と、親指を除く殆どの指の当たる領域であるため、把持手の感触が良いが、本願では被覆部材Ｆ１Ｂが無くてもよい。
【００１６】
以上では、後側のフードが固定フードであったが、移動フードが後側であってもよい。この場合、移動フードの移動可能長さに対応して上記柔軟性本体部１２ＨＡの直後領域に移動フードが移動できる領域を設ける必要がある。この移動領域として、前記スペーサ１２ＨＢ’と外側の硬質な管状部１２ＨＢとがリール装着本体部１２Ｈの後側本体部であってもよい（柔軟性本体部１２ＨＡがリール装着本体部の前側であってもよい）。即ち、図１のリール装着部１２の前後方向を逆にしてもよい。移動フードが後側の場合、該移動フードＦ２の表面とナット部材ＮＴの表面に、以上と同様な柔軟性部材で被覆することが好ましい。
【００１７】
また、何れの形態例においても、柔軟性本体部１２ＨＡの存在によってリール装着部の撓み剛性を低下させることができ、リールとリール装着部を把持した場合に軽快な操作が可能となる。更には、リール装着本体部１２Ｈの柔軟性本体部１２ＨＡの領域を除いた残り領域も、既述の硬質発泡材の厚肉管状スペーサ１２ＨＢ’の存在により、撓み剛性が小さい。また、後側フードＦ１の領域も硬質発泡材の厚肉管状スペーサＦ１Ｃの存在によって撓み剛性を低く抑えている。従って、前部グリップＧ２から後部グリップＧ１に至る、所謂、ハンドル部の撓み剛性については、局部的に大きな撓み剛性を有する部位が無い状態で低く設定しており、獲物等に起因する撓み荷重が、釣竿先部から後方部に至るまで順次滑らかに移動できる構造であるため、釣竿操作性が向上する。
【産業上の利用可能性】
【００１８】
本発明は真鯛竿等の船竿に好適であり、その他の種類の釣竿も含めたリール装着部を有する釣竿に利用できる。
【図面の簡単な説明】
【００１９】
【図１】図１は本発明に係る釣竿としての真鯛竿の要部の部分断面図である。
【符号の説明】
【００２０】
１０                    竿杆（竿管）
１２                    リール装着部
１２Ｈ                  リール装着本体部
１２ＨＡ                柔軟性本体部
Ｆ１                    固定フード
Ｆ１Ａ                  固定フード本体部
Ｆ１Ｓ                  固定フード開口内部のリール脚載置部（硬質部）
Ｆ２                    移動フード
Ｆ２Ｓ                  移動フード開口内部のリール脚載置部（硬質部）
Ｒ                      両軸受型リール
【図１】
2007195488.tif 000003